(57)【要約】【課題】マルチ画像を１画面に表示する場合において、焼き付きを抑制できるようにする。【解決手段】Ｙレジスタ１１２、Ｃｂレジスタ１１３、およびＣｒレジスタ１１４よりなるレジスタ１１１は、ＩＩＣインターフェース１１０を介して供給された、任意の色を示す色データを格納する。スイッチ６１は、最初に、レジスタ１１１側に切り換えられる。画像フレームメモリ３３には、レジスタ１１１に格納されている色データが書き込まれる。次に、スイッチ６１は、ラインバッファメモリ２９側に切り換えられる。画像フレームメモリ３３では、ラインバッファメモリ２９に格納されているビデオデータが、色データの上に上書きされる。これにより、マルチ画像の背景を、焼き付きのおきない色に設定することができる。本発明は、テレビジョン受像機に適用することができる。【選択図】      図３
2004289204.tif 000002
【特許請求の範囲】
【請求項１】
画像を処理する画像処理装置において、
入力画像データを取得する取得手段と、
画像の背景に表示される色を示す色データを記憶する第１の記憶手段と、
前記第１の記憶手段に記憶されている前記色データを書き換える書き換え手段と、
前記入力画像データと前記第１の記憶手段に記憶されている前記色データのうちのいずれか一方を選択する選択手段と、
前記選択手段により選択された、前記入力画像データ、または前記第１の記憶手段に記憶されている前記色データを記憶する第２の記憶手段と
を備えることを特徴とする画像処理装置。
【請求項２】
前記取得手段により取得される入力画像データは、１画面に同時に表示される複数のマルチ画像の画像データであり、
前記第１の記憶手段により記憶される前記色データにより表示される色は、灰色である
ことを特徴とする請求項１に記載の画像処理装置。
【請求項３】
前記書き換え手段は、前記取得手段により取得された入力画像データの画像がマルチ画像のとき、前記色データにより表示される色を灰色とし、単画面の画像のとき、黒色とする
ことを特徴とする請求項２に記載の画像処理装置。
【請求項４】
画像を処理する画像処理装置の画像処理方法において、
入力画像データを取得する取得ステップと、
画像の背景に表示される色を示す色データの記憶を制御する第１の記憶制御ステップと、
前記第１の記憶制御ステップの処理により記憶が制御されている前記色データを書き換える書き換えステップと、
前記入力画像データと前記第１の記憶制御ステップの処理により記憶が制御されている前記色データのうちのいずれか一方を選択する選択ステップと、
前記選択ステップの処理により選択された、前記入力画像データ、または前記第１の記憶制御ステップの処理により記憶が制御されている前記色データの記憶を制御する第２の記憶制御ステップと
を含むことを特徴とする画像処理方法。
【請求項５】
画像を処理するプログラムであって、
入力画像データを取得する取得ステップと、
画像の背景に表示される色を示す色データの記憶を制御する第１の記憶制御ステップと、
前記第１の記憶制御ステップの処理により記憶が制御されている前記色データを書き換える書き換えステップと、
前記入力画像データと前記第１の記憶制御ステップの処理により記憶が制御されている前記色データのうちのいずれか一方を選択する選択ステップと、
前記選択ステップの処理により選択された、前記入力画像データ、または前記第１の記憶制御ステップの処理により記憶が制御されている前記色データの記憶を制御する第２の記憶制御ステップと
を含むことを特徴とするコンピュータが読み取り可能なプログラムが記録されている記録媒体。
【請求項６】
画像を処理するプログラムであって、
入力画像データを取得する取得ステップと、
画像の背景に表示される色を示す色データの記憶を制御する第１の記憶制御ステップと、
前記第１の記憶制御ステップの処理により記憶が制御されている前記色データを書き換える書き換えステップと、
前記入力画像データと前記第１の記憶制御ステップの処理により記憶が制御されている前記色データのうちのいずれか一方を選択する選択ステップと、
前記選択ステップの処理により選択された、前記入力画像データ、または前記第１の記憶制御ステップの処理により記憶が制御されている前記色データの記憶を制御する第２の記憶制御ステップと
を含む処理をコンピュータに実行させることを特徴とするプログラム。
【発明の詳細な説明】
【０００１】
【発明の属する技術分野】
本発明は、画像処理装置および方法、記録媒体、並びにプログラムに関し、特に、複数のマルチ画像を１画面に表示する場合において、ディスプレイの焼き付きを抑制できるようにした画像処理装置および方法、記録媒体、並びにプログラムに関する。
【０００２】
【従来の技術】
近年、１つの画面上に複数の縮小画像を同時に表示させるマルチ画面表示機能を備えたテレビジョン受像機が販売されている。
【０００３】
例えば、特許文献１には、複数のチャンネルの映像信号の映像を１つの画面上にマルチ映像として表示させ、その表示されている映像をユーザに指定させることにより、チャンネルを切り換えるマルチビューチャンネル選択方法が提案されている。
【０００４】
また、例えば、図１に示されるようなマルチ画面表示機能を備えたテレビジョン受像機が提案されている。
【０００５】
図１のテレビジョン受像機１０には、アンテナ２１、チューナ２２、コムフィルタ２３、同期分離回路２４、クロマデコーダ２５、水平縮小回路２６、ラインメモリ２７、垂直縮小回路２８、ラインバッファメモリ２９、システムマイクロコンピュータ３０、選局マイクロコンピュータ３１、メモリコントローラ３２、画像フレームメモリ３３、ラインバッファメモリ３４、表示位置決定回路３５、同期信号発生回路３６、偏向回路３７、およびＣＲＴ（Ｃａｔｈｏｄｅ  Ｒａｙ  Ｔｕｂｅ）３８が設けられている。
【０００６】
チューナ２２は、アンテナ２１を介して放送局から所定の番組の放送信号を受信し、復調して得られたビデオ信号を、コムフィルタ２３に供給する。選局マイクロコンピュータ３１は、システムマイクロコンピュータ３０からの制御信号に基づいて、チューナ２２を制御し、チューナ２２に所定の番組（チャンネル）を選局させる。１画面に同時に複数のマルチ画像を表示させる場合、選局マイクロコンピュータ３１は、システムマイクロコンピュータ３０からの制御に基づいて、チューナ２２を制御し、チューナ２２に時分割で複数の番組（チャンネル）の放送信号を受信させる。システムマイクロコンピュータ３０は、ユーザからの指令を受け、選局マイクロコンピュータ３１に選局を制御する信号を送信したり、メモリコントローラ３２に、画像フレームメモリ３３への書き込みを指令する信号を送信する。
【０００７】
コムフィルタ２３は、ビデオ信号から、同期信号が重畳されたＹ’（輝度）信号と、Ｃ（クロマ）信号を分離して、それぞれを同期分離回路２４およびクロマデコーダ２５に出力する。同期分離回路２４は、同期信号が重畳されたＹ’信号を、同期信号を分離した完全なＹ（輝度）信号から、水平同期信号、および垂直同期信号を分離し、水平縮小回路２６に出力する。クロマデコーダ２５は、Ｃ信号から色差信号ＰｂまたはＣｂ、およびＰｒまたはＣｒを分離し、水平縮小回路２６に出力する。
【０００８】
水平縮小回路２６と垂直縮小回路２８は、標準の大きさの画面を、マルチ画面の大きさに縮小するための処理を行う。水平縮小回路２６は、標準の大きさの画像を水平方向に縮小し、ラインメモリ２７に供給する。ラインメモリ２７は、水平方向に縮小された画像に対応するビデオデータを、ライン単位で記憶する。垂直縮小回路２８は、ラインメモリ２７に記憶されたビデオデータに基づき表示される画像を垂直方向に縮小し、ラインバッファメモリ２９に出力する。これにより、標準の大きさの１つの番組の画像は、水平方向と垂直方向に、それぞれ約１／４の長さに縮小される。
【０００９】
ラインバッファメモリ２９は、水平方向と垂直方向に縮小された画像のビデオデータを、一時的に格納する。画像フレームメモリ３３には、メモリコントローラ３２の指令によって、ラインバッファメモリ２９に格納されたビデオデータが順次書き込まれ、例えば、有効画素領域１９２０×１０８０ｉに対応するメモリプレーンが形成される。
【００１０】
ラインバッファメモリ３４は、画像フレームメモリ３３に書き込まれたメモリプレーン上に書き込まれたデータ（１フレーム分の画像データ）を全て読み出し、表示位置決定回路３５に供給する。表示位置決定回路３５は、同期信号発生回路３６により生成された水平同期（Ｈ）信号および垂直同期（Ｖ）信号に基づいて、１９２０×１０８０ｉのメモリプレーンの表示位置Ｈｐ，Ｖｐを決定し、ビデオデータとともに、ＣＲＴ３８に出力する。同期信号発生回路３６は、水平縮小回路２６より供給される水平同期信号と垂直同期信号とに同期して、水平同期（Ｈ）信号、垂直同期（Ｖ）信号およびドットクロックを生成し、偏向回路３７に出力するとともに、表示位置決定回路３５に出力する。このとき、表示位置決定回路３５から出力されるビデオデータ、表示位置Ｈｐ，およびＶｐ、並びに同期信号発生回路３６から出力される水平同期（Ｈ）信号、垂直同期（Ｖ）信号およびドットクロックは、同期が取られている。
【００１１】
偏向回路３７は、これらの信号に基づいて、電子ビームを偏向させるための制御信号をＣＲＴ３８に出力する。ＣＲＴ３８は、偏向回路３７からの制御信号、表示位置決定回路３５から供給された映像信号、および表示位置Ｈｐ，Ｖｐ（マルチ画面の位置）に基づいて、画像を表示する。
【００１２】
このようなテレビジョン受像機１０に、複数の縮小画像（マルチ画像）を１画面に表示させた（マルチ画面を表示させた）場合、メモリプレーン上のマルチ画像の部分には、ビデオデータが書き込まれるが、その他の部分、すなわち、マルチ画像の背景には、特にビデオデータが書き込まれない。その結果、そのままの状態では、システムに電源を投入した場合の、メモリ上のランダムデータが表示されしまい、画面上にゴミが表示されてしまうという課題があった。
【００１３】
そこで、図２に示されるように、画像フレームメモリ３３に、ラインバッファメモリ２９とは異なる固定色のデータを記憶する固定色信号ＲＯＭ（Ｒｅａｄ  Ｏｎｌｙ  Ｍｅｍｏｒｙ）６２を設け、スイッチ６１を切り換えることにより、マルチ画面表示を行なう前に、画像フレームメモリ３３に固定色を書き込めるようにしておく方法が提案されている。固定色信号ＲＯＭ６２により表示される色は、一般的には、黒色とされている。
【００１４】
図２のスイッチ６１は、固定色信号ＲＯＭ６２と、ラインバッファメモリ２９のうちいずれか一方を、システムマイクロコンピュータ３０から供給される制御信号に基づいて選択し、画像フレームメモリ３３に出力する。
【００１５】
マルチ画像を表示させる場合、最初に、スイッチ６１は、固定色信号ＲＯＭ６１側に切り換えられ、そこから読み出された固定色データが画像フレームメモリ３３に書き込まれる。画像フレームメモリ３３に、固定色データの書き込みが終了したとき、スイッチ６１は、ラインバッファメモリ２９側に切り換えられ、ラインバッファメモリ２９に格納されているビデオデータが、画像フレームメモリ３３に供給される。これにより、画面上（マルチ画像の外側、すなわち、背景）にゴミが表示されるのを防ぐことができる。
【００１６】
【特許文献１】
特開２００２−２８１４０６号公報
【００１７】
【発明が解決しようとする課題】
しかしながら、マルチ画像の背景には、固定色データに基づく色（黒色）が表示され続けるので、輝度の変化が大きい部分（明るい色と暗い色の境目）に焼き付きが起こりやすいため、マルチ画像と背景の境目で輝度の変化が大きく、画面の焼き付けを起こしやすいという課題があった。このことは、特にプラズマディスプレイを用いた場合に顕著となる。
【００１８】
本発明はこのような状況に鑑みてなされたものであり、マルチ画面を表示する場合において、ディスプレイの焼き付きが抑制できるようにするものである。
【００１９】
【課題を解決するための手段】
本発明の画像処理装置は、入力画像データを取得する取得手段と、画像の背景に表示される色を示す色データを記憶する第１の記憶手段と、第１の記憶手段に記憶されている色データを書き換える書き換え手段と、入力画像データと第１の記憶手段に記憶されている色データのうちのいずれか一方を選択する選択手段と、選択手段により選択された、入力画像データ、または第１の記憶手段に記憶されている色データを記憶する第２の記憶手段とを備えることを特徴とする。
【００２０】
前記取得手段により取得される入力画像データは、１画面に同時に表示される複数のマルチ画像の画像データであり、第１の記憶手段により記憶される色データにより表示される色は、灰色であるようにすることができる。
【００２１】
前記書き換え手段は、取得手段により取得された入力画像データの画像がマルチ画像のとき、色データにより表示される色を灰色とし、単画面の画像のとき、黒色とするようにすることができる。
【００２２】
本発明の画像処理方法は、入力画像データを取得する取得ステップと、画像の背景に表示される色を示す色データの記憶を制御する第１の記憶制御ステップと、第１の記憶制御ステップの処理により記憶が制御されている色データを書き換える書き換えステップと、入力画像データと第１の記憶制御ステップの処理により記憶が制御されている色データのうちのいずれか一方を選択する選択ステップと、選択ステップの処理により選択された、入力画像データ、または第１の記憶制御ステップの処理により記憶が制御されている色データの記憶を制御する第２の記憶制御ステップとを含むことを特徴とする。
【００２３】
本発明の記録媒体に記録されているプログラムは、入力画像データを取得する取得ステップと、画像の背景に表示される色を示す色データの記憶を制御する第１の記憶制御ステップと、第１の記憶制御ステップの処理により記憶が制御されている色データを書き換える書き換えステップと、入力画像データと第１の記憶制御ステップの処理により記憶が制御されている色データのうちのいずれか一方を選択する選択ステップと、選択ステップの処理により選択された、入力画像データ、または第１の記憶制御ステップの処理により記憶が制御されている色データの記憶を制御する第２の記憶制御ステップとを含むことを特徴とする。
【００２４】
本発明のプログラムは、入力画像データを取得する取得ステップと、画像の背景に表示される色を示す色データの記憶を制御する第１の記憶制御ステップと、第１の記憶制御ステップの処理により記憶が制御されている色データを書き換える書き換えステップと、入力画像データと第１の記憶制御ステップの処理により記憶が制御されている色データのうちのいずれか一方を選択する選択ステップと、選択ステップの処理により選択された、入力画像データ、または第１の記憶制御ステップの処理により記憶が制御されている色データの記憶を制御する第２の記憶制御ステップとを含む処理をコンピュータに実行させることを特徴とする。
【００２５】
本発明の画像処理装置および方法、記録媒体、並びにプログラムにおいては、入力画像データが取得され、画像の背景に表示される色を示す色データが記憶され、書き換えられる。そして、入力画像データと色データのうちのいずれか一方が選択され記憶される。
【００２６】
【発明の実施の形態】
以下に、本発明の実施の形態について図面を参照して説明する。
【００２７】
図３は、本発明を適用したテレビジョン受像機１００の構成例を示すブロック図である。図中、図１および図２と対応する部分については、同一の符号を付してあり、その説明は、繰り返しになるので省略する。
【００２８】
テレビジョン受像機１００は、アンテナ２１、チューナ２２、コムフィルタ２３、同期分離回路２４、クロマデコーダ２５、水平縮小回路２６、ラインメモリ２７、垂直縮小回路２８、ラインバッファメモリ２９、システムマイクロコンピュータ３０、選局マイクロコンピュータ３１、メモリコントローラ３２、画像フレームメモリ３３、ラインバッファメモリ３４、表示位置決定回路３５、同期信号発生回路３６、偏向回路３７、およびＣＲＴ（Ｃａｔｈｏｄｅ  Ｒａｙ  Ｔｕｂｅ）３８、並びにスイッチ６１を有するとともに、ＩＩＣ（Ｉ２Ｃ）（商標）インターフェース１１０とレジスタ１１１（Ｙレジスタ１１２、Ｃｂレジスタ１１３、およびＣｒレジスタ１１４）を有している。
【００２９】
すなわち、チューナ２２は、アンテナ２１を介して放送局から所定の番組の放送信号を受信し、復調して得られたビデオ信号を、コムフィルタ２３に供給する。選局マイクロコンピュータ３１は、システムマイクロコンピュータ３０からの制御信号に基づいて、チューナ２２を制御し、チューナ２２に所定の番組（チャンネル）を選局させる。１画面に同時に複数のマルチ画像を表示させる場合、選局マイクロコンピュータ３１は、システムマイクロコンピュータ３０からの制御に基づいて、チューナ２２を制御し、チューナ２２に時分割で複数の番組（チャンネル）の放送信号を受信させる。システムマイクロコンピュータ３０は、ユーザからの指令を受け、選局マイクロコンピュータ３１に選局を制御する信号を送信したり、メモリコントローラ３２に、画像フレームメモリ３３への書き込みを指令する信号を送信する。
【００３０】
コムフィルタ２３は、ビデオ信号から、同期信号が重畳されたＹ’（輝度）信号と、Ｃ（クロマ）信号を分離して、それぞれを同期分離回路２４およびクロマデコーダ２５に出力する。同期分離回路２４は、同期信号が重畳されたＹ’信号を、同期信号を分離した完全なＹ（輝度）信号から、水平同期信号、および垂直同期信号を分離し、水平縮小回路２６に出力する。クロマデコーダ２５は、Ｃ信号から色差信号ＰｂまたはＣｂ、およびＰｒまたはＣｒを分離し、水平縮小回路２６に出力する。
【００３１】
水平縮小回路２６と垂直縮小回路２８は、標準の大きさの画面を、マルチ画面の大きさに縮小するための処理を行う。水平縮小回路２６は、標準の大きさの画像を水平方向に縮小し、ラインメモリ２７に供給する。ラインメモリ２７は、水平方向に縮小された画像に対応するビデオデータを、ライン単位で記憶する。垂直縮小回路２８は、ラインメモリ２７に記憶されたビデオデータに基づき表示される画像を垂直方向に縮小し、ラインバッファメモリ２９に出力する。これにより、標準の大きさの１つの番組の画像は、水平方向と垂直方向に、それぞれ約１／４の長さに縮小される。
【００３２】
ラインバッファメモリ２９は、水平方向と垂直方向に縮小された画像のビデオデータを、一時的に格納する。スイッチ６１は、レジスタ１１１と、ラインバッファメモリ２９のうちいずれか一方を、システムマイクロコンピュータ３０から供給される制御信号に基づいて選択し、画像フレームメモリ３３に出力する。画像フレームメモリ３３には、メモリコントローラ３２の指令によって、ラインバッファメモリ２９に格納されたビデオデータが順次書き込まれ、例えば、有効画素領域１９２０×１０８０ｉに対応するメモリプレーンが形成される。
【００３３】
ラインバッファメモリ３４は、画像フレームメモリ３３に書き込まれたメモリプレーン上に書き込まれたデータ（１フレーム分の画像データ）を全て読み出し、表示位置決定回路３５に供給する。表示位置決定回路３５は、同期信号発生回路３６により生成された水平同期（Ｈ）信号および垂直同期（Ｖ）信号に基づいて、１９２０×１０８０ｉのメモリプレーンの表示位置Ｈｐ，Ｖｐを決定し、ビデオデータとともに、ＣＲＴ３８に出力する。同期信号発生回路３６は、水平縮小回路２６より供給される水平同期信号と垂直同期信号とに同期して、水平同期（Ｈ）信号、垂直同期（Ｖ）信号およびドットクロックを生成し、偏向回路３７に出力するとともに、表示位置決定回路３５に出力する。このとき、表示位置決定回路３５から出力されるビデオデータ、表示位置Ｈｐ，およびＶｐ、並びに同期信号発生回路３６から出力される水平同期（Ｈ）信号、垂直同期（Ｖ）信号およびドットクロックは、同期が取られている。
【００３４】
偏向回路３７は、これらの信号に基づいて、電子ビームを偏向させるための制御信号をＣＲＴ３８に出力する。ＣＲＴ３８は、偏向回路３７からの制御信号、表示位置決定回路３５から供給された映像信号、および表示位置Ｈｐ，Ｖｐ（マルチ画面の位置）に基づいて、画像を表示する。
【００３５】
本発明においては、図２の固定色信号ＲＯＭ６２に代えて、書き換えが可能なメモリとしてのレジスタ１１１（Ｙレジスタ１１２，Ｃｂレジスタ１１３、およびＣｒレジスタ１１４）が設けられているとともに、さらにそのデータを書き換える書き換え手段としてのＩＩＣインターフェース１１０が設けられている。
【００３６】
ＩＩＣインターフェース１１０は、システムマイクロコンピュータ３０から供給される制御信号（外部から入力される操作者の指令に基づく制御信号）に基づいて、レジスタ１１１（Ｙレジスタ１１２、Ｃｂレジスタ１１３、およびＣｒレジスタ１１４）に保持される色のデータを設定する。なお、このレジスタの設定のためのインターフェースは、ＩＩＣバスに限らず、シリアルバス等を用いるようにしてもよい。
【００３７】
スイッチ６１は、レジスタ（に設定されている固定色のデータ）と、ラインバッファメモリ２９（に記憶されているビデオデータ）のうちいずれか一方を、システムマイクロコンピュータ３０から供給される制御信号に基づいて選択し、画像フレームメモリ３３に出力する。
【００３８】
Ｙレジスタ１１２、Ｃｂレジスタ１１３、およびＣｒレジスタ１１４には、それぞれ、８ビットのデータ（０乃至２５５の値）が格納される。具体的には、Ｙレジスタ１１２には、輝度信号Ｙの値が格納され、Ｃｂレジスタ１１３には、色差信号Ｃｂの値が格納され、Ｃｒレジスタ１１４には、色差信号Ｃｒの値が格納される。例えば、Ｙ＝０乃至７０，Ｃｂ＝Ｃｒ＝１２８で表わされる黒色のデータ、またはＹ＝７０乃至２２０，Ｃｂ＝Ｃｒ＝１２８で表わされる灰色のデータが格納されている。なお、いまの例の場合、Ｙレジスタ、Ｃｂレジスタ、およびＣｒレジスタとしたが、Ｙレジスタ、Ｐｂレジスタ、およびＰｒレジスタとしてもよい。Ｙレジスタ、Ｐｂレジスタ、およびＰｒレジスタとした場合においても、その値は同様とされる。すなわち、例えば、Ｙレジスタ、Ｐｂレジスタ、およびＰｒレジスタには、それぞれ、Ｙ＝０乃至７０，Ｐｂ＝Ｐｒ＝１２８で表わされる黒色のデータ、またはＹ＝７０乃至２２０，Ｐｂ＝Ｐｒ＝１２８で表わされる灰色のデータが格納されている。
【００３９】
１画面に複数の縮小画像（以下、マルチ画像と称する）を表示させる場合、最初に、スイッチ６１は、Ｙレジスタ１１２、Ｃｂレジスタ１１３、およびＣｒレジスタ１１４（レジスタ側）に切り換えられ、レジスタ１１１に格納されている色データが画像フレームメモリ３３に供給される。そして、画像フレームメモリ３３に色データの書き込みが終了した後、スイッチ６１は、ラインバッファメモリ２９側に切り換えられる。
【００４０】
スイッチ６１が、ラインバッファメモリ２９側に切り換えられた後、画像フレームメモリ３３には、ラインバッファメモリ２９に格納されているビデオデータが書き込まれる。このとき、画像フレームメモリ３３上には、例えば、有効画素領域１９２０×１０８０ｉに対応するメモリプレーンが形成される。
【００４１】
例えば、図４に示されるような、１画面に１６個のマルチ画像２０１乃至２１６を含む全体画像２００を表示させる場合、マルチ画像２０１乃至２１６の各画像サイズは、水平方向に４６０（ｄｏｔｓ）、垂直方向に２５０（ＬＩＮＥ）（以下、４６０×２５０ｉと記述する）とされる。通常のＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）信号の規格では、ＳＤ信号は、７２０×４８０ｉであるので、このような全体画像２００を表示させるためには、映像信号のサイズを水平方向、垂直方向ともに、縮小する必要がある。この縮小は、水平縮小回路２６と垂直縮小回路２８により行なわれる。図４の全体画像２００のうちの、マルチ画像２０１乃至２１６以外の範囲は、背景２５０となる。この背景２５０の色が、Ｙ信号レジスタ１１２、Ｃｂ（またはＰｂ）レジスタ１１３、およびＣｒ（またはＰｒ）レジスタ１１４に設定された色となる。
【００４２】
図４の例の場合、ＨＤの有効画素領域１９２０×１０８０ｉの大きさのメモリプレーン上に、マルチ画像２０１乃至２１６の画像データが、所定の位置に配置されている。
【００４３】
なお、レジスタ１１１に設定する色は、ユーザにより設定することもできるし（ＩＩＣインターフェース１１０を介して入力することもできるし）、あらかじめ、状況に応じて、メーカが設定しておくこともできる。
【００４４】
ＨＤ有効画面（１９２０×１０８０ｉ）は、図５に示されるように、垂直同期信号からの位置からＶｐラインだけ下方であり、かつ、水平同期信号の位置から、Ｈｐ画素だけ右側の位置に、有効画面の左上の画素が位置するように表示される。
【００４５】
また、マルチ画面を表示するディスプレイは、ＣＲＴ３８の他、プラズマディスプレイ、液晶ディスプレイ等とすることができる。
【００４６】
次に、図６乃至図８のフローチャートを参照して、図３のテレビジョン受像機１００における、マルチ画面表示処理を説明する。なお、この処理は、ユーザにより、テレビジョン受像機１００の電源がオンされたとき開始される。
【００４７】
ステップＳ１において、システムマイクロコンピュータ３０は、選局マイクロコンピュータ３１を制御し、チューナ２２に、アンテナ２１を介して、所定の番組の放送信号を受信させる。チューナ２２は、受信した放送信号を復調し、復調して得られたビデオ信号をコムフィルタ２３に供給する。
【００４８】
ステップＳ２において、コムフィルタ２３は、受信したビデオ信号をＹ’信号とＣ信号に分離する。Ｙ’信号は、水平同期信号と垂直同期信号が重畳された輝度信号である。Ｙ’信号は、同期分離回路２４に出力され、Ｃ信号は、クロマデコーダ２５に供給される。
【００４９】
ステップＳ３において、同期分離回路２４は、Ｙ’信号から同期信号（水平同期信号と垂直同期信号）を分離し、完全なＹ信号を生成するとともに、水平同期（Ｈ）信号および垂直同期（Ｖ）信号を生成する（分離する）。生成（分離）されたＹ信号、Ｈ信号、およびＶ信号は、水平縮小回路２６に供給される。
【００５０】
ステップＳ４において、クロマデコーダ２５は、Ｃ信号から色差信号ＰｂまたはＣｂおよび色差信号ＰｒまたはＣｒを分離し、水平縮小回路２６に出力する。
【００５１】
ステップＳ５において、水平縮小回路２６は、Ｙ信号、Ｈ信号、およびＶ信号（ステップＳ３の処理により供給された信号）、並びに色差信号ＰｂまたはＣｂおよび色差信号ＰｒまたはＣｒにより構成される画像を水平方向に縮小し、縮小して得られた画像のビデオデータをラインメモリ２７に供給する。
【００５２】
具体的には、図４に示されるような全体画像２００を表示させる場合、通常のＮＴＳＣ信号の規格では、ＳＤ信号の７２０×４８０ｉの画像は、マルチ画像（縮小画像）２０１乃至２１６のサイズは、４６０×２５０ｉであるので、水平方向に、「４６０／７２０」の割合で縮小される。
【００５３】
ステップＳ６において、ラインメモリ２７は、水平方向に画像が縮小されたビデオデータ（ステップＳ５の処理により水平方向に画像が縮小されたビデオデータ）を、ライン単位で記憶する。
【００５４】
ステップＳ７において、垂直縮小回路２８は、ラインメモリ２７に記憶されているビデオデータ（水平方向に画像が縮小されたビデオデータ）を読み出し、読み出したビデオデータにより表示される画像を垂直方向に縮小する。縮小された画像に対応するビデオデータは、ラインバッファメモリ２９に供給される。
【００５５】
図４の例の場合、通常のＮＴＳＣ信号の規格では、ＳＤ信号により表示される画像のサイズは７２０×４８０ｉであり、マルチ画像（縮小画像）２０１乃至２１６のサイズは、４６０×２５０ｉであるので、垂直方向に、「２５０／４８０」の割合で縮小される。
【００５６】
ステップＳ５とステップＳ８の処理により、ビデオデータにより表示される画像（１番組に対応する画像）は、水平方向と垂直方向にそれぞれ所定の割合だけ縮小される。
【００５７】
ステップＳ８において、ラインバッファメモリ２９は、縮小されたビデオデータを一時的に格納する。
【００５８】
レジスタ１１１には、システムマイクロコンピュータ３０から、ＩＩＣインターフェース１１０を介して送信されてきた色データが予め設定されている。ステップＳ９において、システムマイクロコンピュータ３０により制御され、スイッチ６１は、レジスタ１１１を選択する。これにより、画像フレームメモリ３３には、レジスタ１１１に格納されている色データが供給される。
【００５９】
ステップＳ１０において、画像フレームメモリ３３は、レジスタ１１１から供給されてきた色を示すデータをメモリプレーン上に書き込む。これによりレジスタ１１１に設定されている色の背景２５０が描かれたことになる。
【００６０】
ステップＳ１１にいて、画像フレームメモリ３３は、画像フレームメモリ３３への書き込みが終了したか（レジスタ１１１に設定されている色のデータを、画像フレームメモリ３３に書き込み終えたか）否かを判定し、終了したと判定されるまで処理は待機される。いまの例の場合、有効画素領域１９２０×１０８０ｉのメモリプレーンに、レジスタに設定されている色データの書き込みが終了したか否かが判定される。
【００６１】
ステップＳ１１において、画像フレームメモリ３３への書き込みが終了したと判定された場合、ステップＳ１２において、スイッチ６１は、ラインバッファメモリ２９に切り換えられる（レジスタ１１１側から、ラインバッファメモリ２９側に切り換えられる）。これにより、画像フレームメモリ３３には、ラインバッファメモリ２９に記憶されているビデオデータ（１番組分の縮小画像が１６個含まれるビデオデータ）が供給される。
【００６２】
ステップＳ１３において、画像フレームメモリ３３は、ラインバッファメモリ２９から供給されたビデオデータを書き込む。
【００６３】
これにより、レジスタ１１１に設定されている色データに基づく色が、背景２５０として書き込まれている上に、ビデオデータ（マルチ画像２０１乃至２１６に対応するビデオデータ）が背景２５０が一部残るように上書きされる。
【００６４】
ステップＳ１４において、ラインバッファメモリ３４には、画像フレームメモリ３３に書き込まれているデータが読み出され、格納される。ラインバッファメモリ３４に格納されたデータは、表示位置決定回路３５に供給される。
【００６５】
ステップＳ１５において、同期信号発生回路３６は、各種の同期信号を生成する。具体的には、水平同期（Ｈ）信号、垂直同期（Ｖ）信号およびドットクロックが生成され、生成されたこれらの信号は、表示位置決定回路３５に出力される。
【００６６】
ステップＳ１６において、表示位置決定回路３５は、水平同期（Ｈ）信号、垂直同期（Ｖ）信号およびドットクロックに基づいて、例えば、図５に示されるような、有効画面の左右の画素の表示位置Ｈｐ，Ｖｐを決定する。
【００６７】
ステップＳ１７において、同期信号発生回路３６は、生成した各種の信号（水平同期（Ｈ）信号、垂直同期（Ｖ）信号およびドットクロック）を、偏向回路３７に出力する。また、ステップＳ１８において、表示位置決定回路３５は、ステップＳ１５において供給された各種の同期信号に対応して、ビデオデータ、並びに表示位置ＨｐおよびＶｐをＣＲＴ３８に出力する。具体的には、表示位置Ｈｐ，Ｖｐを考慮したタイミングで、ビデオデータがＣＲＴ３８に出力される。なお、ステップＳ１７とステップＳ１８の処理は、その順番を逆にしてもよいし、並行して実行させるようにしてもよい。
【００６８】
ステップＳ１９において、偏向回路３７は、これらの同期信号に基づいて、電子ビームを偏向させるための制御信号を生成し、ＣＲＴ３８に出力する。ステップＳ２０において、ＣＲＴ３８は、表示位置決定回路３５からのビデオデータ（表示位置ＨｐおよびＶｐ）、並びに制御信号に基づいて、画像を表示する。このようにして、ＣＲＴ３８には、図４に示される全体画像２００が表示される。
【００６９】
以上の処理は、ステップＳ２１において、処理の終了がユーザにより指令されたと判定されるまで繰り返される。
【００７０】
図４の全体画像２００の１６個のマルチ画像のうち、１個のマルチ画像を動画とし、他の１５個のマルチ画像を静止画とする場合、動画の１個のマルチ画像の表示時間を「（１／３０）×１２」秒とすると、１６個のマルチ画像を動画として表示する１周期の時間は、「（１／３０）×１２×１６」秒となる。
【００７１】
このように、テレビジョン受像機に、レジスタ１１１（Ｙレジスタ１１２、Ｃｂレジスタ１１３、およびＣｒレジスタ１１４）、並びにＩＩＣインターフェース１１０を設け、レジスタ１１１に任意の色を設定できるようにしたので、マルチ画面表示時に、マルチ画面の背景２５０にノイズ等が表示されるのを防止することができる。
【００７２】
また、その設定する色を、焼き付きが生じ難い色（灰色）にすることで、ディスプレイに焼き付きが起きるのを抑制することができる。このことは、プラズマディスプレイや液晶ディスプレイ等の、輝度差の激しい範囲に（マルチ画面と背景２５０の境目）に、焼き付きが起こりやすい場合に、特に有効である。焼き付きを生じにくくする色は、例えば、プラズマディスプレイの場合、Ｃｂ＝Ｃｒ＝１２８，Ｙ＝１２０乃至１８０（または、Ｐｂ＝Ｐｒ＝１２８，Ｙ＝１２０乃至１８０）とすることができる。
【００７３】
これにより、例えば、メーカは、テレビジョン受像機を出荷する国毎に、その国の好みに応じた、マルチ画面の背景色を設定することができる。例えば、ヨーロッパおよびアメリカ等の国では、背景を青色に設定することができる。設定を変えるだけでよいので、国毎に異なる部品を用意し、組み立てる場合に較べて、低コスト化を図ることができる。
【００７４】
また、例えば、マルチ画面（１画面に複数のマルチ画像）を表示させる場合、背景を灰色とし、単画面（１画面に１つの画像）を表示させる場合、背景を黒色とするように、表示する画面によって、レジスタ１１１に異なる色を設定させるようにすることが可能である。
【００７５】
さらに、以上の例は、色を保持するレジスタとして、Ｙレジスタ、Ｃｂレジスタ、およびＣｒレジスタ（または、Ｙレジスタ、Ｐｂレジスタ、およびＰｒレジスタ）を設けるようにしたが、Ｒ信号レジスタ、Ｇ信号レジスタ、およびＢ信号レジスタを設けるようにしてもよい。例えば、Ｒ，Ｇ，Ｂの値がそれぞれ０乃至７０の場合、黒色となり、Ｒ，Ｇ，Ｂの値がそれぞれ７０乃至２２０の場合、灰色となる。
【００７６】
なお、マルチ画面は、図４に示されるような全体画像の他、図９に示されるような全体画像４００であってもよいし、図１０に示されるような全体画像５００であってもよい。
【００７７】
図９の例の場合、全体画像４００には、１２個のマルチ画像４０１乃至４１２が外周に配置されている他、マルチ画像４０１の約４倍の大きさの中画像４１３が中央に表示されている。この場合、マルチ画像４０１乃至４１２、並びに中画像４１３の外側の範囲、すなわち、背景４５０の色が任意に設定される。
【００７８】
図１０の例の場合、全体画像５００には、７個のマルチ画像５０１乃至５０７が上辺と右辺に沿って配置されている他、マルチ画像５０１の約９倍の大きさの中画像５０８が、左下に表示されている。この場合、マルチ画像５０１乃至５０７、並びに中画像５０８の外側の範囲、すなわち、背景５５０の色が任意に設定される。
【００７９】
また、マルチ画像は、必ずしもサイズを縮小した画像である必要はない。もともと標準サイズの画像に較べてサイズが小さい画像であってもよい。
【００８０】
なお、以上では、テレビジョン受像機を例としたが、これに限らず、メモリを備え、ビデオ信号を書き込む機能を有するＰＤＡ、携帯電話機等の各種の表示装置を含む画像処理装置に適用することができる（このような表示装置は、何らかの方法により、画像メモリを初期化する（固定色の信号をメモリに書き込む）場合が多いため、適用できる）。
【００８１】
また、本発明は、自分自身がディスプレイを有しないビデオカセットレコーダ、ハードディスクレコーダなどの画像処理装置にも適用することができる。
【００８２】
上述した一連の処理は、ハードウエアにより実行させることもできるし、ソフトウエアにより実行させることもできる。この場合、上述した処理は、図１１に示されるようなパーソナルコンピュータ８００により実行される。
【００８３】
図１１において、ＣＰＵ（Ｃｅｎｔｒａｌ  Ｐｒｏｃｅｓｓｉｎｇ  Ｕｎｉｔ）８０１は、ＲＯＭ（Ｒｅａｄ  Ｏｎｌｙ  Ｍｅｍｏｒｙ）８０２に記憶されているプログラム、または、記憶部８０８からＲＡＭ（Ｒａｎｄｏｍ  Ａｃｃｅｓｓ  Ｍｅｍｏｒｙ）８０３にロードされたプログラムに従って各種の処理を実行する。ＲＡＭ８０３にはまた、ＣＰＵ８０１が各種の処理を実行する上において必要なデータなどが適宜記憶される。
【００８４】
ＣＰＵ８０１、ＲＯＭ８０２、およびＲＡＭ８０３は、内部バス８０４を介して相互に接続されている。この内部バス８０４にはまた、入出力インターフェース８０５も接続されている。
【００８５】
入出力インターフェース８０５には、キーボード、マウスなどよりなる入力部８０６、ＣＲＴ，ＬＣＤ（Ｌｉｑｕｉｄ  Ｃｒｙｓｔａｌ  Ｄｉｓｐｌａｙ）などよりなるディスプレイ、並びにスピーカなどよりなる出力部８０７、ハードディスクなどより構成される記憶部８０８、モデム、ターミナルアダプタなどより構成される通信部８０９が接続されている。通信部８０９は、電話回線やＣＡＴＶを含む各種のネットワークを介しての通信処理を行なう。
【００８６】
入出力インターフェース８０５にはまた、必要に応じてドライブ８１０が接続され、磁気ディスク、光ディスク、光磁気ディスク、あるいは半導体メモリなどによりなるリムーバブルメディア８２１が適宜装着され、それから読み出されたコンピュータプログラムが、必要に応じて記憶部８０８にインストールされる。
【００８７】
一連の処理をソフトウエアにより実行させる場合には、そのソフトウエアを構成するプログラムが、ネットワークや記録媒体からインストールされる。
【００８８】
この記録媒体は、図１１に示されるように、コンピュータとは別に、ユーザにプログラムを提供するために配布される、プログラムが記録されているリムーバブルメディア８２１よりなるパッケージメディアにより構成されるだけでなく、装置本体にあらかじめ組み込まれた状態でユーザに提供される、プログラムが記録されているＲＯＭ８０２や記憶部８０８が含まれるハードディスクなどで構成される。
【００８９】
なお、本明細書において、コンピュータプログラムを記述するステップは、記載された順序に従って時系列的に行われる処理はもちろん、必ずしも時系列的に処理されなくとも、並列的あるいは個別に実行される処理をも含むものである。
【００９０】
また、本明細書において、システムとは、複数の装置により構成される装置全体を表わすものである。
【００９１】
【発明の効果】
以上の如く、本発明によれば、画像の背景の色を設定することができる。特に、本発明によれば、複数のマルチ画像を１画面に表示する場合において、焼き付きの発生を抑制することができる。
【図面の簡単な説明】
【図１】従来のテレビジョン受像機の構成例を示すブロック図である。
【図２】従来のテレビジョン受像機の他の構成例を示すブロック図である。
【図３】本発明を適用したテレビジョン受像機の構成例を示すブロック図である。
【図４】マルチ画像を含む全体画像の例を説明する図である。
【図５】有効画面を説明する図である。
【図６】マルチ画面表示処理を説明するフローチャートである。
【図７】マルチ画面表示処理を説明するフローチャートである。
【図８】マルチ画面表示処理を説明するフローチャートである。
【図９】マルチ画像を含む全体画像の他の例を説明する図である。
【図１０】マルチ画像を含む全体画像のさらに他の例を説明する図である。
【図１１】パーソナルコンピュータの構成例を示すブロック図である。
【符号の説明】
３３  画像フレームメモリ，  ６１  スイッチ，  １１０  ＩＩＣインターフェース，  １１１  レジスタ，  １１２  Ｙレジスタ，  １１３  Ｃｂレジスタ，１１４  Ｃｒレジスタ，  ２００  全体画像，  ２０１乃至２１６  マルチ画像，  ２５０  背景
【図１】
2004289204.tif 000003
【図２】
2004289204.tif 000004
【図３】
2004289204.tif 000005
【図４】
2004289204.tif 000006
【図５】
2004289204.tif 000007
【図６】
2004289204.tif 000008
【図７】
2004289204.tif 000009
【図８】
2004289204.tif 000010
【図９】
2004289204.tif 000011
【図１０】
2004289204.tif 000012
【図１１】
2004289204.tif 000013